【手続補正書】
【提出日】平成17年3月2日(2005.3.2)
【手続補正１】
【補正対象書類名】明細書
【補正対象項目名】００１１
【補正方法】変更
【補正の内容】
【００１１】
トロカールシステム１０により腹壁３０の穿通を行なうため、一般に、矢印３４で示す穿通力が軸線２３に沿って加えられる。ひとたび腹壁３０が穿通されてしまうと、該壁３０を通してシステムを移動させるのに要する力が急激に低下することは理解されよう。たとえ瞬時であっても、力３４を更に加えると、腹腔３２内の器官を損傷する虞れがある。従来の栓塞子には、腹壁の穿通を容易にするブレードが設けられており、これらのブレードは、穿通後内部器官にとって特に脅威かつ有害である。
従って、本発明によれば、栓塞子１８のチップ２７には鈍形状が付与されている。前述のように、鈍チップは、内部器官に損傷を与えるあらゆる可能性を大幅に低減させるため、これまでにも使用されてきた。残念なことに従来の鈍チップは、腹壁３０の穿通に非常に大きい力３４を必要とした。
本発明の鈍チップ２７は、改善された構造的設計および挿入方法に、腹壁３０の解剖学的構造を考慮に入れたものである。
【手続補正２】
【補正対象書類名】明細書
【補正対象項目名】００１４
【補正方法】変更
【補正の内容】
【００１４】
チップ２７の捩られた矩形は、図２の概略図および図３および図４の側面図に最も明瞭に示されている。この実施例では、チップは全体として４つの面、すなわち、端面５８と近位側ベース６１との間に延びている２つの側面５４、５６と、これらの側面により分離された２つの対向主面５０、５２とで構成されている。軸線２３を通って引かれる平面は、この場合のチップ２７が２つの対称半部からなることを示すであろう。
主面５０、５２および側面５４、５６は、全体として、チップ２７の横断面を、端面５８から近位基部６１にかけて矩形となるように形成する。この形状は、図５〜図１０の横断面図を参照することにより最も良く理解されよう。図５には、チップ２７の遠位端が最大の長さ／幅比をもつ矩形としてことが示されている。参照番号６３で示すこの矩形はまた、チップ２７の最遠位端で捩れＳ型形状を有している。
【手続補正３】
【補正対象書類名】明細書
【補正対象項目名】００１５
【補正方法】変更
【補正の内容】
【００１５】
漸次近位側断面（progressive proximal cross section）で見ると、矩形６３は捩れが小さくなり、矩形６３の長さに対する幅が増大することが理解されよう。図２の実施例では、チップ２７の螺旋性質は、矩形が軸線２３の回りで反時計回り方向に移動していることも明らかである。これは、図６の矩形に対する図７の矩形の比較により多分最も良く理解されよう。漸次近位側位置に向かうに従って、矩形は、長さ／幅比が小さくなって平坦化されていく。また、図９および図１０から明らかなように、矩形６３の長辺は、これらが円形に近付くので一層弧状になる。これらの図面から、矩形６３の回転は最も反時計回り方向の位置に到達し、次に時計回り方向に移動し始める。このことは、図８、図９および図１０に最も良く示されている。この前後方向への回転は、側面５４、５６の形状（全体として、図２および図３に最も良く示されるＵ型形状）から生じる。
矩形６３の長さ／幅比は、矩形６３の短辺を形成する側面５４、５６の形状、および矩形６３の長辺を形成する主面５０、５２の形状に基いて定まる。再び図３を参照すると、側面５０、５２はチップ２７の遠位端で最も幅狭であることが理解されよう。これらの面は近位側に延びていて、図８に示すように、最も反時計回り方向に回転された位置の近くで最大幅に到達し、次に、近位基部６１に近付くにつれて幅が小さくなる。これと同じく遠位側から近位側に沿って、主面５０、５２は、遠位端でのほぼ平らな形状から近位基部６１でのほぼ円錐状の形状へと移行する。
【手続補正４】
【補正対象書類名】明細書
【補正対象項目名】００２１
【補正方法】変更
【補正の内容】
【００２１】
図１２〜図３７には本発明の他の実施例が示されており、これらの図面では、以前に説明した構成要素と同様な構造を有する構成要素は、以前と同じ参照番号に「ａ」〜「ｚ」の文字を付した参照番号で示されている。かくして、図１２ではチップ２７は参照番号２７ａで示されているのに対し、図３７ではチップは参照番号２７ｚで示されている。
図１２において、栓塞子のチップ２７ａには、軸線７７をもつ円錐面７５が形成されている。この実施例では、面７５の軸線７７は、チップ２７ａの軸線２３ａと同一直線上にある。円錐面７５内には、軸線７７の回りに複数の凹部７９が形成されている。これらの凹部７９には側壁８１が形成されており、該側壁８１は谷部８３に向かって半径方向内方に延びている。この実施例では、円錐面７５は軸線７７に対して或る角度を形成しており、この角度は、谷部８３と軸線７７とのなす角度より大きい。この結果、面７５に対する凹部７９の深さは、チップ２７ａの遠位端８５から近位端８７に向かって深くなっている。円錐面７５に対する側壁８１の角度はほぼ一定であり、このため側壁８１の面積は近位端８７に向かって増大している。谷部８３は、近位端８７に向かってほぼ一定の幅で延びている。
この実施例でも、チップ２７ａは円筒状の装着シャフト８９を有し、該シャフト８９は装着ラグ９１を備えている。装着シャフト８９は、栓塞子のシャフト２１（図１）内にぴったり嵌合される。装着ラグ９１はシャフト２１内の孔または肩部と係合して、シャフト２１とチップ２１ａとの着脱可能な固定が行なえるようになっている。
【手続補正５】
【補正対象書類名】明細書
【補正対象項目名】００２２
【補正方法】変更
【補正の内容】
【００２２】
図１３のチップ２７ｂも、円錐面７５ｂ、円筒状の装着シャフト８９ｂおよびラグ９１ｂに特徴を有している。この場合、チップ２７ｂには、円錐面７５ｂから半径方向外方に延びている隆起部９３が設けられている。隆起部９３は一定幅でもよいし、図示の実施例におけるように近位側に向かって増大するように構成することもできる。円錐面７５ｂからの隆起部９３の高さは一定でもよいし、遠位端８５ｂと近位端８７ｂとの間で変えることもできる。
【手続補正６】
【補正対象書類名】明細書
【補正対象項目名】００２５
【補正方法】変更
【補正の内容】
【００２５】
図１６の栓塞子チップ２７ｅは、遠位端８５ｅから近位端８７ｅまで延びている凹部７９ｅを有している点で図１２のチップと同じである。しかしながら、この場合には、チップ２７ｅは、遠位端８５ｅと装着シャフト８９ｃとの間で円錐面７５ｅの近位端に延びている円筒面９５を有している。この実施例の凹部７９ｅは、円錐面７５ｅおよび円筒面９５の両方に沿って延びている。
【手続補正７】
【補正対象書類名】明細書
【補正対象項目名】００３５
【補正方法】変更
【補正の内容】
【００３５】
図２６のチップ２７ｏは図２５のチップと同様であるが、遠位端８５ｏに向かって時計回り方向の螺旋を形成する凹部１０６を更に有している。この実施例では、螺旋状凹部１０５は凹部１０１ｏと交差している。
【手続補正８】
【補正対象書類名】明細書
【補正対象項目名】００３６
【補正方法】変更
【補正の内容】
【００３６】
図２７のチップ２７ｐは、遠位端８５ｐの頂点に向かって延びている円錐面７５ｐを有している。外側円錐面７５ｐの頂点は遠位端において鈍になっている。この実施例はまた、装着スタブ８９ｐおよび関連ラグ９１ｐを有している。
【手続補正９】
【補正対象書類名】明細書
【補正対象項目名】００３８
【補正方法】変更
【補正の内容】
【００３８】
図２９のチップ２７ｒは、砲弾型の外面７５ｒと、遠位端８５ｒから近位端８７ｒへとほぼ軸線方向に延びている複数の凹部７９ｒとを有している。凹部７９ｒはほぼ対称的であり、かつ近位側部分１１３、および軸線７７ｒにほぼ平行に延びている深い谷部１２１を形成している側壁１１６、１１８を備えた遠位側部分１１４を有している。凹部１１２の近位側部分１１３は平面１２３を有し、該平面１２３は、側壁１１８と１２１との間で、谷部１１６から半径方向外方へと、近位端に向かう漸次位置で広くなっている。
【手続補正１０】
【補正対象書類名】明細書
【補正対象項目名】００４２
【補正方法】変更
【補正の内容】
【００４２】
図３３のチップ２７ｖは、平均直径が漸次小さくなる個々の截頭円錐状部分１２５、１２７、１３０、１３２により形成された外面７５ｖを有している。これらの円錐状部分１２５〜１３２は、これらの個々の軸線を共通軸線７７ｖに沿って配置して積重ねたものであると考えることができる。